(57)【要約】      （修正有）【課題】リチウムイオン電池を用いて、薄型化，小型化，軽量化を図ると共に、簡易な構成によって、安全性を高めた小型電気器具を提供する。【解決手段】タイマーやスケール等の小型電気器具のケース本体１内の回路基板６にリチウムイオン電池８を電気的に接続すると共に取り外し不可に固定する。【選択図】図１
0003176394.tif 000002
【実用新案登録請求の範囲】
【請求項１】
ケース本体の外表面に操作部及び表示部が設けられ、前記ケース本体の内部に、前記操作部及び前記表示部とデータの授受を行う演算処理部と、少なくとも前記演算処理部と電源電池と回路構成部品が搭載される回路基板が設けられてなる小型電気器具において、
前記ケース本体を複数のケース部材から形成して、各ケース部材を固着することにより前記ケース本体全体を一体構造にし、前記電源電池として角型のリチウムイオン電池を用い、該リチウムイオン電池を前記ケース本体内部に取り外し不可に固定したことを特徴とする小型電気器具。
【請求項２】
前記リチウムイオン電池を充電する充電処理部を備えたことを特徴とする請求項１記載の小型電気器具。
【請求項３】
前記ケース本体の外側部に、前記充電処理部と外部電源とを電気的に接続するための充電端子を設けたことを特徴とする請求項１または２に記載の小型電気器具。
【請求項４】
前記充電端子の外部開口部分を、カバー体により開閉可能に被覆したことを特徴とする請求項３に記載の小型電気器具。
【考案の詳細な説明】
【技術分野】
【０００１】  本考案は、ケース内部に電源電池が設けられてなる小型電気器具に係り、特に、家庭用のタイマーあるいはキッチンスケールなどの小型電気器具に関するものである。
【背景技術】
【０００２】  従来、家庭で用いられる各種電気器具では、構造の簡素化や構成部材を減少させることにより小型化を図っていた。しかし、小型化が進んでいる現状では、更なる小型化を図ることが困難になってきている。【０００３】  この種の小型電気器具において、薄型化を図るためには内蔵される電源電池のサイズが大きく影響する。従来、特許文献１に記載されているタイマーのように、電源電池には円筒型のものが使用されており、現在、単４電池のものが用いられている。円筒型単４電池のサイズの規格は、直径が９．５ｍｍ〜１０．５ｍｍ、かつ長さが２８．０ｍｍ〜３０．２ｍｍとなっている。【０００４】  また、この種の電気器具の本体ケースには、通常、電池交換用のために電池収納部に電池蓋や電池蓋開閉機構などが備えられ、さらに電池交換時の電池装填時に、使用者が電池極性の電極方向（プラス・マイナス）を間違えないようにするための構造なども具備している。【０００５】  現在の携帯電話では、電源電池として充電可能な二次電池である角型のリチウムイオン電池が用いられている。角型のリチウムイオン電池のサイズの一例としては、厚さ５．０ｍｍ、矩形サイズ５０ｍｍ×３３ｍｍ程度のものがある。このサイズの電池であれば、小型電気器具において厚さを更に減少させることができる。また、リチウムイオン電池は、同じエネルギー容量であれば、一般的な電池の中では最も小さく、最も軽いという利点もある。
【先行技術文献】
【特許文献】
【０００６】
【特許文献１】実用新案登録第３０８０３６０号公報
【考案の概要】
【考案が解決しようとする課題】
【０００７】  角型のリチウムイオン電池の使用例をみると、例えば携帯電話では、リチウムイオン電池が交換可能であるように、ケース本体に対して着脱できる構造になっている。しかし、一般家庭に用いられるタイマーあるいはキッチンスケールなどの小型電気器具において、リチウムイオン電池を電源電池として用い、かつ着脱可能／交換可能にすると種々の技術的課題が存在する。【０００８】  携帯電話では、携帯電話の機種ごとに、あるいはメーカーごとに使用されるリチウムイオン電池が指定され、異なるリチウムイオン電池が使用されないように徹底されている。これは、リチウムイオン電池には、現在、業界における基準はあるが、未だ公的な規格が存在していないため、リチウムイオン電池のメーカーごとに、リチウムイオン電池のサイズや材質（ケース，電極など）が異なり、エネルギー容量や出力が異なっているからである。【０００９】  このため、リチウムイオン電池を使用器具に対して着脱可能／交換可能にした場合、交換時に極性を間違えて装填すると器具の破損を招くおそれがあり危険である。また、リチウムイオン電池は使用電極などにより出力電圧が大きく変わるため、交換の際に電気回路を構成するＩＣなどに設定されている最大使用電圧に適合しないものを用いてしまうと、回路破損を発生してしまうことなどが考えられる。このような課題における危険性は、家庭用器具を一般消費者が使用する場合に容易に発生することが想定できる。【００１０】  そこで、本考案は、リチウムイオン電池を用いて薄型化，小型化，軽量化を図ると共に、簡易な構成によって、リチウムイオン電池を用いることによる従来の安全上の問題を解決し得る小型電気器具を提供することを目的とする。
【課題を解決するための手段】
【００１１】  前記目的を達成するため、本考案に係る小型電気器具は、ケース本体の外表面に操作部及び表示部が設けられ、前記ケース本体の内部に、前記操作部及び前記表示部とデータの授受を行う演算処理部と、少なくとも前記演算処理部と電源電池と回路構成部品が搭載される回路基板が設けられてなる小型電気器具であって、前記ケース本体を複数のケース部材から形成して、各ケース部材を固着することにより前記ケース本体全体を一体構造にし、前記電源電池として角型のリチウムイオン電池を用い、該リチウムイオン電池を前記ケース本体内部に取り外し不可に固定したことを特徴とする。【００１２】  また、本考案に係る小型電気器具は、前記リチウムイオン電池を充電する充電処理部を備えたことを特徴とする。【００１３】  また、本考案に係る小型電気器具は、前記ケース本体の外側部に、前記充電処理部と外部電源とを電気的に接続するための充電端子を設けたことを特徴とする。【００１４】  また、本考案に係る小型電気器具は、前記充電端子の外部開口部分を、カバー体により開閉可能に被覆したことを特徴とする。
【考案の効果】
【００１５】  本考案に係る小型電気器具によれば、電源電池として厚さが薄い角型のリチウムイオン電池を用いたことにより、器具全体として薄型化を図ることができる。【００１６】  また、リチウムイオン電池をケース本体内部に取り外しができないようにしたことにより、ケース本体に従来のような電池蓋などの電池交換のための部材を備える必要がない。しかも、ケース本体全体を一体構造にして密閉性が高い構造にすることにより、防水機能が向上する。【００１７】  また、リチウムイオン電池をケース本体内部に固定して取り出せないようにしたことにより、従来のような電池交換時の電池極性のセット間違えや、異種特性の電池が使用されるおそれが無くなり、電気／電子部品や機器の破損を防ぐことができる。【００１８】  さらに、リチウムイオン電池は充電可能であり、例えば、ＵＳＢケーブルを用いたパソコンからの充電も可能になり、利便性が高まる。【００１９】  そして、本考案による上記の実用的な効果は、極めて簡単で簡素化された構成にて得ることができる。
【図面の簡単な説明】
【００２０】
【図１】本考案に係る小型電気器具の実施形態であるタイマーの正面断面図である。
【図２】本タイマーの平面図である。
【図３】本タイマーにおける電気系の構成を示すブロック図である。
【図４】本タイマーのリチウムイオン電池の充電に関する構成を示すブロック図である。
【図５】（ａ），（ｂ）は本実施形態で用いたリチウムイオン電池の一例を示す図である。
【図６】本実施形態におけるリチウムイオン電池の設置構成例を示す正面図である。
【図７】本実施形態におけるリチウムイオン電池の他の設置構成例を示す正面図である。
【図８】本考案に係る小型電気器具の他の実施形態であるキッチンスケールの平面図である。
【考案を実施するための形態】
【００２１】  以下、本考案の好適な実施形態を図面に基づいて説明する。
【００２２】  図１は本考案に係る小型電気器具の実施形態であるタイマーの正面断面図、図２は本タイマーの平面図であり、１は、上部ケース本体２と下部ケース本体３とが固着され、上下部かつ周側部が一体構造になっている矩形状のケース本体、４は上部ケース本体２の一部に形成された開口２ａに固定された透明板部材、５は、ケース本体１内部の透明板部材４の下部に設置され、該透明板部材４を介して外表面から表示面が視認できるようになっているＬＣＤ表示部材である。
【００２３】  ６は、ケース本体１内部のＬＣＤ表示部材５の下部に設置され、ＩＣ（集積回路）７などの各種の回路構成部材が搭載されて、ＬＣＤ表示部材５と電気的に接続されている回路基板、８は、ケース本体１内部の回路基板６の下部に電気的に接続され、かつ固定されたリチウムイオン電池、９は回路基板６に設けられたリチウムイオン電池８を充電する充電用端子としてのＵＳＢケーブル端子コネクタ、１０は、ケース本体１の外側部に設けられて、ＵＳＢケーブル端子コネクタ９の開口部分を開閉可能に被覆し、充電時にＵＳＢケーブル端子コネクタ９の外部開口を開放するカバー体である。
【００２４】  図２において、１１は、上部ケース本体２の表面に配設されて、タイマーの各種設定が行われる押しボタン操作部であり、該押しボタン操作部１１より上方の上部ケース本体２に、ＬＣＤ表示部材５の保護部材としての透明板部材４が露出して、使用者がＬＣＤ表示部材５の表示を見ることができるようになっている。
【００２５】  図３は本タイマーにおける電気系の構成を示すブロック図であり、リチウムイオン電池８は、ＬＣＤ表示部材５，押しボタン操作部１１，時刻カウンター１２およびＣＰＵ（中央演算処理ユニット）１３などに電源供給する。これらのＬＣＤ表示部材５，押しボタン操作部１１，時刻カウンター１２は、ＣＰＵ１３に対してデータの授受を行うことにより所定のタイマー機能を発揮するようになっている。
【００２６】  図３において、１４は本例では外部電源としてのパーソナルコンピュータ（ＰＣ）であって、該ＰＣ１４のＵＳＢポート部１５とタイマー側のＵＳＢケーブル端子コネクタ９とがＵＳＢケーブル１６によって電気的に接続され充電可能になっている。
【００２７】  図４は本タイマーのリチウムイオン電池の充電に関する構成を示すブロック図であり、リチウムイオン電池８は、充電用ケーブルであるＵＳＢケーブル１６を介して電力供給を受け、回路基板６に設けられた充電制御用ＩＣ１７などにより構成された充電制御部によって充電制御される。
【００２８】  上記のように、本実施形態のタイマーでは、電源電池として薄く角型のリチウムイオン電池８を用いたことにより、器具全体として薄型化を図ることができる。本例で用いたリチウムイオン電池８は、図５（ａ），（ｂ）に示す形状／サイズの角型のリチウムイオン電池であり、サイズとしてはａ（縦）＝３３ｍｍ，ｂ（横）＝５０ｍｍ，ｃ（厚さ）＝５．０ｍｍの平面視矩形のものである。
【００２９】  そこで、タイマーの電源電池として単４電池を用いた場合と比較する。円筒型単４電池のサイズの一般的規格が、直径が９．５ｍｍ〜１０．５ｍｍ、かつ長さが２８．０ｍｍ〜３０．２ｍｍであることから、基本構成が図１のものであって、電源電池として円筒型単４電池の長手方向を回路基板と平行にして設置してなるタイマーと比較すると、本実施形態のタイマーの方が、厚さを４．５ｍｍ〜５．５ｍｍ減少させることができる。
【００３０】  また、リチウムイオン電池８をケース本体１内部の回路基板６に取り外し不可に固定したことにより、ケース本体１に従来の電池蓋などの電池交換のための部材を備える必要がなくなる。しかも、ケース本体１全体を一体構造にして密閉性が高い構造にすることができ、防水機能が向上する。
【００３１】  また、リチウムイオン電池８をケース本体１内部に固定して取り出すことができなくしたことにより、従来のような電池交換時の電池極性のセット間違えや、異種特性の電池が使用されるおそれもなくなるため、電気／電子部品や機器の破損を未然に確実に防ぐことができる。
【００３２】  さらに、リチウムイオン電池８に対して、ＵＳＢケーブル１６を用いたＰＣ１４からの充電が可能であるため利便性が高まる。しかし、タイマーは使用電力が少ないため、前記充電処理部などを備えずに、他の電池に比べてエネルギー容量が大きいリチウムイオン電池８を組み込んで固定しておくことにより、数年間の一般的な使用に耐えるタイマーとすることも可能である。
【００３３】  図６，図７は本実施形態におけるリチウムイオン電池の設置構成例を示す正面図であり、図６に示すように、回路基板６の一側面のみにリチウムイオン電池８やＩＣ７あるいは充電制御用ＩＣ１７などの各種の回路構成部材を設けたり、図７に示すように、回路基板６の一側面にリチウムイオン電池８を設け、他側面にＩＣ７，１７などの各種の回路構成部材を設けたりすることが考えられる。
【００３４】  本考案の他の実施形態としては、図８に示すキッチンスケールなどの小型の家庭用重量計に上述した実施形態におけるリチウムイオン電池に関係する構成を採用することもできる。
【００３５】  図８において、２１は被重量測定物を載置する載台、２２は透明板部材を介して測定結果を外表面から視認できるようにしたＬＣＤ表示部、２３は電源スイッチであって、載台２１に被重量測定物を載せると、図示しないロードセルによって被重量測定物の重量が計測され、図示しない演算処理部によりデジタルデータ処理されてＬＣＤ表示部２２に計測値がデジタル表示される。
【００３６】  図８には図示しないが、透明板部材，ＬＣＤ表示部材，回路基板，リチウムイオン電池などの設置関係としては、例えば、図１に示す構成と同様にすることが考えられる。このような構成の小型重量計においても、上述したタイマーの実施形態と同様な効果を奏することができる。
【産業上の利用可能性】
【００３７】  本考案は、電源電池を内蔵される小型電気器具に適用され、特に、一般家庭用のタイマー，キッチンスケール，体重計などの小型電気器具に実施して有効である。
【符号の説明】
【００３８】１  ケース本体
２  上部ケース本体
３  下部ケース本体
４  透明板部材
５  ＬＣＤ表示部材
６  回路基板
７  ＩＣ（集積回路）
８  リチウムイオン電池
９  ＵＳＢケーブル端子コネクタ
１０  カバー体
１１  押しボタン操作部
１２  時刻カウンター
１３  ＣＰＵ（中央演算処理ユニット）
１４  パーソナルコンピュータ（ＰＣ）
１５  ＵＳＢポート部
１６  ＵＳＢケーブル
１７  充電制御用ＩＣ
２１  載台
２２  ＬＣＤ表示部
２３  電源スイッチ
【図１】
0003176394.tif 000003
【図２】
0003176394.tif 000004
【図３】
0003176394.tif 000005
【図４】
0003176394.tif 000006
【図５】
0003176394.tif 000007
【図６】
0003176394.tif 000008
【図７】
0003176394.tif 000009
【図８】
0003176394.tif 000010